(57)【要約】【課題】給紙装置の移動により積載された用紙の慣性により大きな力が加わっても変形がない、若しくは変形が極めて少ないガイドを備えた給紙装置を提供する【解決手段】画像形成装置２と接離自在とするための移動機構と、用紙収容部５と、用紙収容部５内に用紙を積載するための昇降板１０を備えた給紙装置１において、用紙収容部５内に積載される用紙Ｐの位置規制を行うため、昇降板１０を貫通して用紙Ｐと当接され、給紙装置１が移動する方向に対して垂直な方向に用紙Ｐを位置規制するため備えられたガイド４ａ、４ｂの用紙と当接する部分は、前記ガイドを前記給紙装置１に備え付けた状態における水平方向の断面においてコ字状の部材である第１ガイド部材４２ａと第２ガイド部材４２ｂを互いに組み合わせた構造を有する。【選択図】図７
2008081217.tif 000002
【特許請求の範囲】
【請求項１】
画像形成装置に備え付けられるとともに、用紙を収容する用紙収容部と、前記用紙収容部を移動させることができる移動機構と、用紙収容部内に上下に昇降可能であって用紙を積載するための昇降板を備え、用紙を画像形成装置に供給する給紙装置において、
前記用紙収容部内に積載される用紙の位置規制を行うため、前記昇降板を貫通するとともに、用紙と当接される１又は複数のガイドを備えており、
前記移動機構により前記給紙装置が移動する方向に対して垂直な方向に用紙を位置規制するための前記ガイドの用紙と当接する部分は、前記ガイドを前記給紙装置に備え付けた状態における水平方向の断面においてコ字状の部材を互いに組み合わせた構造を有していることを特徴とする給紙装置。
【請求項２】
前記コ字状の部材をリベット止めにて組み合わせていることを特徴とする請求項１記載の給紙装置。
【請求項３】
前記用紙収容部は、底面板及び底面板に対して垂直に設けられた複数の側面板からなるものであって、上面が開口しており
前記底面板には複数のスリットが、前記側面板の上縁には、複数の係合部が設けられており、
前記ガイドの下端には、前記スリットに差し込むための差込部が、前記ガイドの上端には、前記係合部と係合するために複数の穴部が設けられた係合用部材が固定されていて、
前記ガイドは、前記差込部を前記スリットに差し込み、かつ、前記穴部を前記係合部と係合させることにより位置決めされることを特徴とする請求項１又は２記載の給紙装置。
【請求項４】
画像形成装置に備え付けられるとともに、用紙を収容する用紙収容部と、前記用紙収容部を移動させることができる移動機構と、用紙収容部内に上下に昇降可能であって用紙を積載するための昇降板を備え、用紙を画像形成装置に供給する給紙装置において、
前記用紙収容部内に積載される用紙の位置規制を行うため、前記昇降板を貫通するとともに、用紙と当接される１又は複数のガイドを備えており、
前記移動機構により前記給紙装置が移動する方向に対して垂直な方向に用紙を位置規制するための前記ガイドの用紙と当接する部分は、前記ガイドを前記給紙装置に備え付けた状態における水平方向の断面においてパイプ状の構造を有していることを特徴とする給紙装置。
【請求項５】
前記用紙収容部は、底面板及び底面板に対して垂直に設けられた複数の側面板からなるものであって、上面が開口しており
前記底面板には複数のスリットが、前記側面板の上縁には、複数の係合部が設けられており、
前記ガイドの下端には、前記スリットに差し込むための差込部が、前記ガイドの上端には、前記係合部と係合するために複数の穴部が設けられた係合用部材が固定されていて、
前記ガイドは、前記差込部を前記スリットに差し込み、かつ、前記穴部を係合部と係合させることにより位置決めされることを特徴とする請求項４記載の給紙装置。
【発明の詳細な説明】
【技術分野】
【０００１】
本発明は、複写機、ファクシミリ装置、プリンタ等の画像形成装置に用紙を供給する給紙装置に関する。
【背景技術】
【０００２】
従来、画像形成装置に用紙を供給するため給紙装置が用いられている。一般に給紙装置は、画像形成装置に備え付けられ、その給紙装置内に積載された用紙を最上部からピックアップローラなどを用いて一枚ずつ用紙を分離し、画像形成装置に用紙を供給する。例えば、その態様として、画像形成装置に対して外付けされる大容量の給紙装置や画像形成装置本体内に設けられる給紙カセット等が存在する。
【０００３】
これら給紙装置においては、通常、給紙装置内の用紙収容部に板状のガイドが設けられる。このガイドは、確実に用紙がピックアップされるように、給紙装置内に積載される用紙を所定の位置で規制し、又、積載された用紙が装置内で揺動したり、崩れたりすることを防ぐ。そして、収納する用紙サイズが固定のものも存在するが、例えばＡ４、Ａ３、Ｂ４、Ｂ５等のような様々なサイズの用紙を収容できるようにするため、ガイドの支持位置を変更できるような構成の給紙装置も存在する。
【０００４】
具体的には、一般に給紙装置は、上面が開口されている用紙収容部を有し、用紙補給の際、この上面方向から用紙が給紙装置に挿入、載置される。そして、用紙は、通常、水平にして給紙装置内に積載される。従って、ガイドは、給紙装置の底面に対して垂直な方向に設けられ、ガイドの一面が、積載される用紙の端部と当接する。このようにガイドの一面と用紙が当接することで用紙の位置規制がなされる。
【０００５】
このような給紙装置の一例として、特許文献１記載の発明が提案されている。特許文献１には、大量の用紙を積載し、本体ケース外に引き出し自在なトレイユニットと、トレイユニットの用紙を画像形成装置に給紙する分離給紙ユニットとを有する大量給紙搬送装置において、本体ケースにガイドレールと、所定の方向に回動するように回動自在となっていて給紙方向後端に対向するバックフェンスとを設け、更にバックフェンスにガイドレールに摺接する摺接体とを設け、トレイユニットの引き出し動作に連動してバックフェンスを給紙方向後端側に開放する位置に移動させる開放機構を設けた給紙装置が記載されている（請求項１、図１参照）。
【特許文献１】特許第２９３１０８６号
【発明の開示】
【発明が解決しようとする課題】
【０００６】
ここで、大量の用紙を収納することができ、画像形成装置に外付けされるような給紙装置には、設置状態から移動可能であり、画像形成装置と接離自在とされているものが存在する。即ち、用紙の紙詰まり（ジャム）処理の容易性等を考慮して、給紙装置を画像形成装置から引き離せるようにしている。又、特許文献１にも記載されているように、用紙補給のため、トレイユニット（即ち、用紙収容部）を給紙装置外部に引き出せるようになっている給紙装置も存在する。
【０００７】
このような、給紙装置本体を移動させることができ、又は、用紙収容部を引き出して移動できるような給紙装置であって、大量の用紙を収容するものにあっては、移動動作を行うと大量に積載される用紙は重量があるから、移動動作を止めたとき、積載された用紙の慣性により装置内部のガイドに対して大きな力がかかり、ガイドが折れ曲がってしまう場合があるという問題がある。
【０００８】
より具体的にいうと、移動方向に対して垂直な方向に用紙の位置規制を行っているガイドに対して大きな力がかかる。そうすると、移動方向に対して垂直な方向に用紙の位置規制を行っているガイドが曲がってしまう場合がある。そして、ガイドの材質の有する弾性力以上にガイドに大きな力がかかると、ガイドが折れ曲がったまま元に戻らなくなる（塑性変形）。又、移動動作が何度も繰り返されると、ガイドは、更に曲がってゆく。
【０００９】
このような、ガイドの曲がりは、積載される用紙の位置規制が確実になされないことにつながるという問題もある。即ち、積載された用紙のピックアップが的確になされなかったり、紙詰まりが生じやすくなったりしてしまう。又、最終的に、ガイドの交換が必要になり得る。
【００１０】
更にいえば、ガイドは大量に積載される用紙の全高にわたって位置規制を行うから、これらの給紙装置におけるガイドは、一般に上下方向に長く形成されている。従って、大量の用紙が積載される給紙装置のガイドは、もともと曲がりやすい構成になっているといえる。
【００１１】
ここで、特許文献１記載の発明をみると、特許文献１記載の発明は、トレイユニットを引き出す際に、給紙装置に設けられる分離コロに載せられた状態となっていた用紙が、用紙補給の際のトレイの下降に伴ってトレイユニット内に落下して元の積載状態に戻ることができないことによる給紙トラブルを避けるため（特許文献１：第２頁、発明が解決しようとする課題欄参照）のものであり、積載された用紙の慣性について全く考慮されていない。従って、トレイユニットの引き出し方向と垂直な方向に用紙の位置規制を行うサイドフェンスについての記載はほとんどなく、特許文献１記載の発明は、上記問題に対応できないものである。
【００１２】
本発明は、上記従来技術の問題点に鑑みてなされたものであり、移動機構を有する給紙装置において、給紙装置の移動に伴う積載された用紙の慣性により大きな力が加わっても変形がない、若しくは変形を極めて抑えることができるガイドを備えた給紙装置を提供することを課題とする。
【課題を解決するための手段】
【００１３】
上記課題を解決するために請求項１に係る発明は、画像形成装置に備え付けられるとともに、用紙を収容する用紙収容部と、前記用紙収容部を移動させることができる移動機構と、用紙収容部内に上下に昇降可能であって用紙を積載するための昇降板を備え、用紙を画像形成装置に供給する給紙装置において、前記給紙装置は、前記用紙収容部内に積載される用紙の位置規制を行うため、前記昇降板を貫通するとともに、用紙と当接される１又は複数のガイドを備えており、前記移動機構により前記給紙装置が移動する方向に対して垂直な方向に用紙を位置規制するための前記ガイドの用紙と当接する部分は、前記ガイドを前記給紙装置に備え付けた状態における水平方向の断面においてコ字状の部材を互いに組み合わせた構造を有することとした。
【００１４】
又、請求項２に係る発明は、請求項１記載の給紙装置において、前記コ字状の部材をリベット止めにて組み合わせていることとした。
【００１５】
又、請求項３に係る発明は、請求項１又は２記載の給紙装置において、前記用紙収容部は、底面板及び底面板に対して垂直に設けられた複数の側面板からなるものであって、上面が開口しており、前記底面板には複数のスリットが、前記側面板の上縁には、複数の係合部が設けられており、前記ガイドの下端には、前記スリットに差し込むための差込部が、前記ガイドの上端には、前記係合部と係合するために複数の穴部が設けられた係合用部材が固定されていて、前記ガイドは、前記差込部を前記スリットに差し込み、かつ、前記穴部を前記係合部と係合させることにより位置決めされることとした。
【００１６】
又、請求項４に係る発明は、画像形成装置に備え付けられるとともに、用紙を収容する用紙収容部と、前記用紙収容部を移動させることができる移動機構と、用紙収容部内に上下に昇降可能であって用紙を積載するための昇降板を備え、用紙を画像形成装置に供給する給紙装置において、前記給紙装置は、前記用紙収容部内に積載される用紙の位置規制を行うため、前記昇降板を貫通するとともに、用紙と当接される１又は複数のガイドを備えており、前記移動機構により前記給紙装置が移動する方向に対して垂直な方向に用紙を位置規制するための前記ガイドの用紙と当接する部分は、前記ガイドを前記給紙装置に備え付けた状態における水平方向の断面においてパイプ状の構造を有することとした。
【００１７】
又、請求項５に係る発明は、請求項４記載の給紙装置において、前記用紙収容部は、底面板及び底面板に対して垂直に設けられた複数の側面板からなるものであって、上面が開口しており、前記底面板には複数のスリットが、前記側面板の上縁には、複数の係合部が設けられており、前記ガイドの下端には、前記スリットに差し込むための差込部が、前記ガイドの上端には、前記係合部と係合するために複数の穴部が設けられた係合用部材が固定されていて、前記ガイドは、前記差込部を前記スリットに差し込み、かつ、前記穴部を係合部と係合させることにより位置決めされることとした。
【発明の効果】
【００１８】
請求項１記載の発明によれば、用紙収容部が移動する方向に対して垂直な方向に用紙を位置規制するためガイドは、水平方向の断面においてコ字状の部材を互いに組み合わせた構造としていて軽量でありつつ構造上高い強度を有するものとなる。そうすると、大量に積載された用紙の慣性による大きな力を受けても、その力に耐えることができ、ガイドは変形することがないか、若しくは、変形したとしても変形量が極めて抑えられる。従ってガイドの変形、折れ曲がりにより生ずるピックアップミスや紙詰まりがなくなる。更に、ガイドの交換が不要となり、長寿命の給紙装置を提供できる。
【００１９】
又、ガイドを高強度とするだけならば、１枚のガイドの厚さを厚くすればよいとも考えられるが、そうすると、ガイドの製造コストが高くなってしまう。又、ガイドの重量が増加するからガイドを給紙装置に装着する作業の負担が大きくなる。しかし、請求項１記載の発明によれば、そのような不利益がない。
【００２０】
請求項２記載の発明によれば、コ字状部材をリベット止めにて組み合わせているから、組み合わせて接合するための作業が容易で、リベットも安価で容易に調達できるから、生産性が高く、強度のあるガイドを容易に入手することができる。又、組み合わせてもガイドの表面に突起がほとんどない状態とでき、ガイドの使用上、利便性が高い。
【００２１】
請求項３記載の発明によれば、強度のあるガイドは正確に位置決めされるから、積載される用紙の位置規制が確実になされる。又、各サイズの用紙に対応して容易に位置決めの変更ができる。
【００２２】
請求項４記載の発明によれば、用紙収容部が移動する方向に対して垂直な方向に用紙を位置規制するためガイドは、水平方向の断面においてパイプ状の構造を有しているから、請求項１記載の発明と同様の効果を有するガイドを有する給紙装置が提供される。
【００２３】
請求項５記載の発明によれば、請求項３記載の発明と同様に、強度のあるガイドは正確に位置決めされるから、積載される用紙の位置規制が確実になされる。又、各サイズの用紙に対応して容易に位置決めの変更ができる。
【発明を実施するための最良の形態】
【００２４】
以下、本発明の第１の実施形態について図１〜８を参照しつつ説明する。尚、本実施形態に挙げる給紙装置１は、画像形成装置２に外付けされる給紙装置１であって、数千枚単位で用紙Ｐを収納できる大容量の給紙装置１について説明する。但し、本実施の形態に記載されている構成、配置等の各要素は、発明の範囲を限定するものではなく単なる説明例にすぎない。
【００２５】
まず、図１乃至４を用いて、本発明の第１の実施形態に係る給紙装置１の概略を説明する。図１は、本発明の第１の実施形態に係る給紙装置１を画像形成装置２に備え付けた場合の正面図である。図２は、本発明の第１の実施形態に係る給紙装置１を移動させて画像形成装置２から離した状態の正面図である。図３は、本発明の第１の実施形態に係る給紙装置１を左上面方向からみた斜視図である。図４は、本発明の第１の実施形態に係る給紙装置１の内部構造を説明するための左正面から見た斜視図である。
【００２６】
図１に示すように、本実施形態に係る給紙装置１は、画像形成装置２（複写機）の側面に備え付けられる。尚、その構造の詳細は後述するが、本実施形態における給紙装置１は４千枚程度の用紙Ｐが収納可能である。給紙装置１内に積載された用紙Ｐは、１枚ずつ画像形成装置２に向けて送り出され、画像形成装置２はその用紙Ｐを用いて、画像を形成する。
【００２７】
本実施形態における給紙装置１は、図１及び図２に示すように、移動機構として装置下部にスライドレール１ａ及び脚車１ｂが設けられていて、図１において白抜矢印で示す方向に移動可能であり、画像形成装置２に対し接離自在となっている。そして、給紙装置１が移動させられた状態を示す図が、図２である。給紙装置１から画像形成装置２に向けての用紙Ｐの搬送途中でジャム（紙詰まり）が発生した場合、スライドレール１ａにより、図２に示すように給紙装置１を画像形成装置２から引き離せば、ジャム処理を容易に行うことができる。本実施形態では、給紙装置１が移動することで、併せて用紙収容部５が移動することになる（図３、４参照）。
【００２８】
又、給紙装置１の上面には、蓋部１ｃが設けられている。図１における蓋部１ｃの左端付近に図１の紙面に対し垂直な方向で支点が設けられており、蓋部１ｃは、開閉可能となっている。尚、開いた状態の蓋部１ｃを図１において、破線にて示す。そして、給紙装置１の蓋部１ｃが開いた状態となれば、給紙装置１の上面が開口した状態となり、使用者は、上面方向から、用紙Ｐを給紙装置１に補給することができる。
【００２９】
次に、図３及び図４に基づき給紙装置１の構造の概略について説明する。尚、図３では説明の便宜上、蓋部１ｃを省略して示している。
【００３０】
図３に示すように、本実施形態に係る給紙装置１は、用紙搬送方向（矢印にて図示）から見て平行な方向に、言い換えると用紙Ｐの幅方向を位置規制するための２本の幅規制ガイド３ａ、３ｂ、用紙搬送方向から見て垂直な方向に用紙Ｐの後端を位置規制するためのガイド４ａ、４ｂ、給紙装置１のハウジング１ｄ内に収容される用紙収容部５（図４参照）、用紙Ｐを載置するための昇降板１０、積載された用紙Ｐを１枚ずつ画像形成装置２に向けて送り出すためのピックアップ部１１、用紙Ｐの積載状況を確認するためのセンサ１２、１３、化粧板１４等を備えている。
【００３１】
前記幅規制ガイド３ａ、３ｂは、板状部材を折り曲げて形成されるものであって、垂直方向の断面が略Ｌ字状であり、用紙搬送方向から見て平行な方向に用紙Ｐの位置規制をするが、詳細は後述する。
【００３２】
前記ガイド４ａ、４ｂは、用紙搬送方向から見て垂直な方向に用紙Ｐの後端を位置規制するためのものであるが、給紙装置１を移動させた場合、積載された用紙Ｐの慣性により大きな力を受ける部分となっている（図３において、給紙装置１の移動可能方向を白抜矢印で図示）。構造としては、ガイド４ａ、４ｂは、給紙装置１に固定するための係合用部材４１と、用紙Ｐの後端に接して位置規制を行うガイド部材４２との、二つの部材を接合したものであるが詳細は後述する。
【００３３】
前記昇降板１０は、昇降自在に構成されており、その駆動は、正逆回転自在のモータ、ワイヤ、巻取プーリ等（いずれも不図示）でなされる。ワイヤの一端が巻取プーリに、もう一端が昇降板１０に固着されていて、巻取プーリがモータの駆動を受けてワイヤを巻き取るに従い、昇降板１０が上昇するしくみとなっている（下降はこの逆）。又、この昇降板１０に用紙Ｐを積載し（図２において用紙Ｐの積載位置を破線にて図示）、用紙Ｐが少なくなるごとに昇降板１０が少しずつ上昇するようになっており、積載された用紙Ｐのうち、最も上の用紙Ｐが常にピックアップ部１１と当接される。尚、図２では、昇降板１０が最も上昇した状態となっている。
【００３４】
本実施形態では、昇降板１０は、幅規制ガイド３ａ、３ｂを貫通させるため４つの貫通穴１５と、ガイド４ａ、４ｂを貫通させるため６つの貫通穴１６が設けられている。このように構成することで、幅規制ガイド３ａ、３ｂ及びガイド４ａ、４ｂが、給紙装置１の下部から上部にわたって積載される用紙Ｐの位置規制を行えるようになっている。又、貫通穴１５、１６を複数設けているから、幅規制ガイド３ａ、３ｂ及びガイド４ａ、４ｂの固定位置を差し替えることができる。これにより、例えば、Ａ４、Ａ３、Ｂ５、Ｂ４のように様々なサイズの用紙Ｐを給紙装置１内に積載することが可能となる。
【００３５】
前記ピックアップ部１１はその内部にピックアップローラを内蔵しており、昇降板１０に積載された用紙Ｐのうち最も上に位置する用紙Ｐを１枚ずつピックアップし、画像形成装置２に向けて送り出す。又、給紙のタイミングは、画像形成装置２から給紙装置１に向けて送信される制御信号で制御される。
【００３６】
用紙Ｐの積載状況を確認するためのセンサは、例えば、本実施形態では２つ設けることができる。図３における左右方向において、ピックアップ部１１の右方に２つ設けられたセンサ１２、１３のうち、右方のセンサ１２は用紙切れを検知するためのものである。この用紙切れを検知するセンサ１２は光センサであって、給紙装置１の底面に向けて光を放つようになっている。センサ１２の下方の位置において昇降板１０は貫通されていて、用紙Ｐがなくなった場合、放たれた光が給紙装置１の底面まで到達し、用紙積載状態における用紙Ｐに光が遮られている場合の受光状態と変化する。この変化により用紙Ｐがなくなったことを検知する。
【００３７】
一方、図２における左右方向において、ピックアップ部１１の右方に２つ設けられたセンサ１２、１３のうち、左方のセンサ１３は、積載された用紙Ｐの最上位を検知するための上限検知を行うものであり、昇降板１０が上昇しすぎることを防ぐためのものである。又、このセンサ１３の存在により、常に積載された用紙Ｐの最上位がピックアップ部１１に接するように昇降板１０の上昇が制御される。即ち、センサ１３からの信号によりモータの回転が制御される。
【００３８】
ここで、用紙補給の際の給紙装置１の動作について説明する。上述したとおり、本実施形態に係る給紙装置１は用紙Ｐの厚さにもよるが、４千枚程度の用紙Ｐを収容できる。一般的に、コピー用紙は、５００枚を１つの基準として１包とされている。従って、本実施形態に係る給紙装置１は、８包は収容できる。
【００３９】
４千枚もの用紙Ｐを１回で補給することはできないので、例えば、５００枚単位で用紙Ｐを繰り返し補給する。そこで、本実施形態に係る給紙装置１は、用紙Ｐが補給されるに従って、昇降板１０を一定量下降させる。尚、図示しないが、昇降板１０の適切な下降量を判断するためのセンサが別途設けられている。このセンサの検知により、昇降板１０及び既に積載された用紙Ｐの最上面が、補給しやすい高さとなるようにモータの回転が制御される。そして、許容される最下位に昇降板１０が到達するまで用紙Ｐの補給を繰り返すことが可能である。
【００４０】
そして、使用者が給紙装置１の蓋部１ｃを閉めると、昇降板１０は必要量に応じて上昇する。具体的に言えば、ピックアップ部１１に積載された用紙Ｐの最上位が接するまで、昇降板１０は上昇する。その際、適切な上昇量を決定するのに上述の上限検知のためのセンサ１３が用いられる。即ち、センサ１３からの信号により、モータの回転が制御される。
【００４１】
尚、化粧板１４は、後述する用紙収容部５の係合部５１を覆うように設けられており（図４参照）、収容する用紙サイズの変更に伴う幅規制ガイド３ａ、３ｂ及びガイド４ａ、４ｂの差し替え等を考慮して取り外すことが可能となっている。
【００４２】
次に、図４を用いて給紙装置１の内部及び前記用紙収容部５の構造を詳述する。尚、図４では、説明の便宜のため、計４本設けられる用紙Ｐの位置規制のための部材のうち（図３参照）、幅規制ガイド３ｂとガイド４ｂのそれぞれ１本と片方の側面板５２（後述）を省略し正面視奥側のみの内部構造を図示しているが、正面視手前側の構成についても同様に説明される。
【００４３】
図４に示すように、本実施形態に係る給紙装置１は、ハウジング１ｄ内に用紙収容部５が配されている。
【００４４】
用紙収容部５は、底面板５３と、図３において矢印で示す用紙搬送方向と平行に設けられた側面板５２と、用紙排出口５４の下部であって、用紙搬送方向と垂直な方向に設けられた前壁板５５等から構成されている。そして、底面板５３に対し、側面板５２及び前壁板５５は、垂直に立設されている。尚、用紙搬送方向を図３において矢印に示す。
【００４５】
前記底面板５３には、幅規制ガイド３ａ、３ｂ及びガイド４ａ、４ｂの下端部に設けられた差込部３１、４３（図５乃至７参照）を差し込むためのスリット５６ａ、５６ｂが複数設けられている。このスリット５６ａ、５６ｂは、用紙Ｐの各サイズに合わせて設けられている。具体的には、用紙搬送方向と平行な方向に幅規制ガイド３ａ、３ｂを差し込むためのスリット５６ａと、用紙搬送方向と垂直な方向に、ガイド４ａ、４ｂを差し込むためのスリット５６ｂの２種類のスリット５６ａ、５６ｂが複数設けられる。このスリット５６ａに幅規制ガイド３ａ、３ｂの差込部３１を、スリット５６ｂに、ガイド４ａ、４ｂの差込部４３を差し込むことで幅規制ガイド３ａ、３ｂ及びガイド４ａ、４ｂの下端部が支持される。
【００４６】
又、図４に示すように、側面板５２の上縁にわたって、幅規制ガイド３ａ、３ｂの上端に設けられた穴部３２及びガイド４ａ、４ｂの係合用部材４１と係合させるための係合部５１が設けられている。この係合部５１と幅規制ガイド３ａ、３ｂの穴部３２及びガイド４ａ、４ｂの係合用部材４１の穴部４４とが合わされる。係合手段としては、例えば、係合部５１を突起として穴部３２、４４と嵌め合わせるようにしてもよいし、ネジ止めにより係合してもよい。これにより、幅規制ガイド３ａ、３ｂ及びガイド４ａ、４ｂの上端部が支持される。
【００４７】
積載された用紙Ｐは、前記前壁板５５の上端付近から画像形成装置２に向けて排出される。そのため、前壁板５５の高さは、側壁板５２の高さよりも若干低くなっている。この差の部分から用紙Ｐが搬送される。即ち、用紙排出口５４となる。
【００４８】
又、用紙収容部５内には、上述した昇降板１０が配されている。尚、図４では、昇降板１０に設けられている貫通穴１５、１６は、使用されている貫通穴１５、１６以外は図示を省略している。昇降板１０に積載された用紙Ｐは、上述の構成、即ち、幅規制ガイド３ａ、３ｂ、ガイド４ａ、４ｂ及び用紙収容部５の前壁板５５により確実に位置規制される。具体的にいうと、幅規制ガイド３ａと３ｂの間隔、即ち、用紙Ｐの幅方向の中心がピックアップ部１１と接するように、各サイズの用紙Ｐが位置規制される。
【００４９】
次に、図５に基づき、幅規制ガイド３ａ、３ｂの構成について説明する。図５（ａ）は、本発明の第１の実施形態に係る幅規制ガイド３ａの斜視図であり、（ｂ）は、ガイド３ａの断面図（図５（ａ）のＡＡ´断面）である。尚、本実施形態に係る給紙装置１は、幅規制ガイド３ａ、３ｂを２本備えているが、この２本の違いはその折り曲げ方向であり、基本的な構成は同様であるから幅規制ガイド３ｂについては、説明を省略するが、幅規制ガイド３ｂについても同様に説明できる。
【００５０】
前記幅規制ガイド３ａは、用紙収容部５に積載される用紙Ｐを、用紙搬送方向と平行な方向に位置規制するためのものである。幅規制ガイド３ａは、板状部材を折り曲げて形成されている。例えば、板金により形成される。幅規制ガイド３ａは、垂直方向の断面が略Ｌ字状に形成されるが、図５（ａ）に示すように、用紙Ｐと当接される当接面３３の上端部分３４に傾斜３５を有するように形成されている。この傾斜３５の角度は、適宜設定することが可能である。
【００５１】
この傾斜３５を有することにより、例えば、当接面３３の上端部分３４が従来のように直角に形成されている場合に比べ、用紙補給の際、補給する用紙Ｐを持つ手を傾斜３５にのせる、即ち、用紙補給時に手を添えるスペースを確保することができ、給紙装置１に対する用紙補給作業が容易となる。又、用紙補給の際、使用者が当接面３３の上端部分３４に手をぶつけても、使用者は負傷し難くなる。
【００５２】
又、図５（ａ）に示すように、前記幅規制ガイド３ａには、用紙Ｐの当接面３３、傾斜３５、及び幅規制ガイド３ａの上端にかけて、用紙Ｐの挿入方向に沿って２本の突条３６が設けられている。当接面３３の上端部を直角に形成している場合に比べ、用紙補給の際に、傾斜３５部分に補給する用紙Ｐが載せられた場合、幅規制ガイド３ａと用紙Ｐの摩擦が大きくなる。しかし、１又は複数の突条３６を設ければ、このような摩擦による抵抗を大きく軽減することができる。
【００５３】
又、図５（ｂ）に示すようにガイド３ａの側端部３７は、用紙Ｐと当接しないような方向に折り曲げられる。尚、図５（ｂ）では、ガイド３ａの側端部３７は、傾斜３５近傍からガイド３ａの下端にかけて折り曲げられている。この構成により、幅規制ガイド３ａの側端部３７に使用者が手をぶつけても、折り曲げていない場合に比べ、負傷し難くなり、安全性が高まる。又、幅規制ガイド３ａの固定位置を変えるなど、幅規制ガイド３ａを把持する場合、幅規制ガイド３ａを持ちやすくなる。更に、用紙Ｐと当接しないような方向に折り曲げるから、用紙Ｐの位置規制を妨げない。
【００５４】
一方で、幅規制ガイド３ａの上端付近には、穴部３２が設けられている。この穴部３２は、用紙収容部５の側面板５２の上縁に設けられた係合部５１と係合させるためのものであり、例えば、ビス、ネジ等により止められ、幅規制ガイド３ａの上端が支持される。一方、幅規制ガイド３ａの下端部には差込部３１が設けられている。この差込部３１を用紙収容部５の底面板５３に設けられた複数のスリット５６ａの適当なスリット５６ａに差し込む。これらの構成により幅規制ガイド３ａが支持され、確実に位置決めがなされる。又、幅規制ガイド３ａの位置決めは、用紙サイズに合わせて係合部５１における係合位置及び差し込むスリット５６ａを変えることで、容易に変更でき、各サイズの用紙Ｐに対応することが可能となっている（図４参照）。
【００５５】
次に、図６、７に基づき、ガイド４ａ、４ｂの構成について説明する。図６は、本発明の第１の実施形態に係るガイド４ａの分解斜視図である。図７は、（ａ）が本発明の第１の実施形態に係るガイド４ａが組み合わされた状態を示す斜視図である。（ｂ）が、本発明の第１の実施形態に係るガイド４ａが組み合わされた状態を説明するための断面図である。尚、本実施形態に係る給紙装置１は、ガイド４ａ、４ｂを２本備えているが、この２本の違いは係合用部材４１とガイド部材４２を取り付ける方向等であり、基本的な構成は同様であるからガイド４ｂについては、説明を省略するが、ガイド４ｂについても同様に説明できる。
【００５６】
図６に示すように、ガイド４ａは、大きく分けて係合用部材４１及びガイド部材４２の２つの部材からなっている。前記係合用部材４１は、用紙収容部５の側面板５２の上縁に設けられた係合部５１と係合させるためのものであり、複数の穴部４４が設けられている。係合部５１と係合する穴部４４の位置を変えることにより、ガイド４ａの用紙収容部５内での固定位置を変えることが可能である。これにより、ガイド４ａを別途用意することなく、１本のガイド４ａだけで様々なサイズの用紙Ｐに対応することができる。
【００５７】
前記ガイド部材４２は、２つの部材を組み合わせたものである。具体的には、水平断面がコ字状の２つの部材が組み合わされる（図７（ｂ）参照）。これにより、ガイド４ａの強度を確保している。ここで、２つのコ字状部材のうち、図６における右側の部材を第１ガイド部材４２ａ、左側の部材を第２ガイド部材４２ｂとする。尚、第２ガイド部材４２ｂの下端には、差込部４３が設けられ、この差込部４３を用紙収容部５の底面板５３に設けられたスリット５６ｂに差し込むことで、ガイド４ａの下端が支持される。
【００５８】
そして、第１ガイド部材４２ａ、第２ガイド部材４２ｂ及び係合用部材４１の接合は、リベット４５、ビス、ネジ、溶接等により行うことができる。尚、図６では、一例として、各部材を複数のリベット４５で接合する態様を示している。
【００５９】
係合用部材４１及び第１ガイド部材４２ａ、第２ガイド部材４２ｂの全てが接合された状態、即ちガイド４ａを示す図が、図７（ａ）である。そして、図７（ｂ）は、ガイド４ａにおける用紙の当接部分における水平方向の断面図となっている。図７（ｂ）から明らかなように、第１ガイド部材４２ａ、第２ガイド部材４２ｂは、その断面がそれぞれコ字状に形成されている。
【００６０】
ここで、第１ガイド部材４２ａ及び第２ガイド部材４２ｂの側面を見てみると、図７（ａ）及び（ｂ）に示すように、第１ガイド部材４２ａの一側面４２ａａの幅は、他の第１ガイド部材４２ａの一側面の幅及び第２ガイド部材４２ａの側面の幅よりも広くなっている。このように第１ガイド部材４２ａの一側面４２ａａを突出させて構成することにより、この突出部分に積載された用紙Ｐの側端ＰＳを当接させることができるから、用紙Ｐの後端が確実に位置規制される。なお、図７（ｂ）では、載置される用紙Ｐの一部を破線にて図示する。
【００６１】
このように、本実施形態におけるガイド４ａは、ガイド４ｂにおいても同様に、コ字状の部材、即ち、第１ガイド部材４２ａ及び第２ガイド部材４２ｂを組み合わせて構成されているから、構造上、強度が高いものとなっている。
【００６２】
ここで、ガイド４ａ、４ｂは、給紙装置１の移動方向と垂直な方向に、用紙搬送方向における後端において、積載される用紙Ｐの位置規制を行っている（図２、図３参照）。上述したように給紙装置１には４千枚程度の用紙が積載可能となっている。積載される紙の密度、サイズ等によるものの、積載される用紙Ｐの重さの目安を挙げるならば、Ａ３サイズの用紙を４千枚積載した場合、その重さは、約４０ｋｇとなる。
【００６３】
そして、給紙装置１を例えばジャム処理のため移動させた場合、給紙装置１はどこまでも移動できるというものではなく、本実施形態では、スライドレール１ａにより移動範囲が一定に定められている。この定められた移動範囲により、給紙装置１の移動が止まった際、積載された用紙Ｐは慣性により移動しようとし続ける。そうすると、ガイド４ａ、４ｂは、積載された用紙Ｐに対し垂直な方向に位置規制を行っているから、積載された用紙Ｐの慣性による力を受けることになる。
【００６４】
積載される用紙Ｐの枚数が少ない場合は、受ける力は小さいから、ガイドが曲がって変形してしまうことはない。しかし、本実施形態における給紙装置１のように数千枚単位で用紙Ｐを積載できる給紙装置１では、ガイド４ａ、４ｂの受ける力は大きい。何ら対策を施さなければ、塑性変形して曲がってしまうことが考えられる。
【００６５】
又、積載する用紙Ｐが多くなればなるほど、一般にガイドは、給紙装置１の設置状態における鉛直方向に長く形成される。長く形成されれば、その分だけ曲がりやすくなってしまう。ここで、例えば、ガイド中間部を押さえるための部材を設けて、強度を補うことも考えられる。しかし、本実施形態における給紙装置１は、昇降板１０を備えていて、昇降板１０の昇降の妨げとなるから、そのような部材を設けることはできない。
【００６６】
ところが、本実施形態におけるガイド４ａ、４ｂは、コ字状の部材を向かい合わせに組み合わせて接合されているから、大きな力が加わっても、第１ガイド部材４２ａ及び第２ガイド部材４２ｂの変位が互いに規制される。従って、積載された用紙Ｐによりガイド４ａ、４ｂに大きな力が加わっても、ガイド４ａ、４ｂが変形しないか、若しくは変形量が極めて少なくなる。言い換えると、ガイド４ａ、４ｂの構造は、変形し難い構造となっている。
【００６７】
このことを実証するために、本発明の発明者は、シミュレーションを行った。その結果を図８及び図９に示す。
【００６８】
図８は、本発明の第１の実施形態に係るガイド４ａに対し衝撃を加えた場合のシミュレーション結果を示す図である。図９は、用紙をガイドする部分の断面がコ字状の１枚の板状部材からなるガイドＧに対し衝撃を加えた場合のシミュレーション結果である。
【００６９】
シミュレーションは、加える衝撃を１００Ｎとして行った。又、衝撃は、積載される用紙Ｐと接する面の全体に対してかけている。
【００７０】
図８に示すように、本発明の第１の実施形態に係るガイド４ａの最大変形量は０．５７７ｍｍとなった。この０．５７７ｍｍを９つに等分し、１つの分布の区分を約０．０６４ｍｍ間隔として、ガイド４ａの変形の分布を図８に示している。
【００７１】
図８の矢印で示すポイントＭ１の変形量が最も大きく０．５７７ｍｍなった。変形量の分布の傾向としては、このポイントＭ１を中心として同心円状に放射状に変形量が少なくなっていく。従って、ガイド４ａの用紙に接する面の全体が等しく変形しているのではなく側面４２ａａでは変形量が他方の側面に比べ小さくなっている。
【００７２】
一方で、図９に示すガイドＧは、給紙装置１への設置状態における水平方向の断面がコ字状のものを用いている。即ち、係合用部材４１と第１ガイド部材４２ａ若しくは第２ガイド部材４２ｂのいずれか一方のみで形成されているといえるものである。尚、ガイドＧは、側面を有するようにコ字状に形成されているから、用紙が接する面のみの平板状に形成されているガイドよりも、変形に対して強くなってはいる。
【００７３】
しかし、図９に示す、ガイドＧの最大変形量は２．９１０ｍｍとなった。この２．９１０ｍｍを９つに等分し、１つの分布の区分を約０．３３ｍｍ間隔として、ガイド４ａの変形の分布を図９に示している。
【００７４】
図９の矢印で示すポイントＭ２の変形量が最も大きく２．９１０ｍｍなっている。変形量の分布の傾向としては、この点Ｍ２を中心として帯状に変形量が少なくなっていく。従って、ガイドＧの用紙に接する面は、その水平方向でみれば、等しく変形している。
【００７５】
上記シミュレーション結果から明らかなように、最大変形量でいうと、ガイド４ａが０．５７７ｍｍであるのに対し、ガイドＧは、２．９１０ｍｍであり、本発明の第１の実施形態に係るガイド４ａの方が明らかに少なくなっていて、約８０パーセント程度、ガイド４ａの方が少ない。尚、ガイド４ａの一側面である４２ａａは、変形量が少なくなっており、ガイド４ａの変形を防ぐ効果があると解される。
【００７６】
このようにして、画像形成装置２に備え付けられるとともに、用紙Ｐを収容する用紙収容部５と、前記用紙収容部５を移動させることができる移動機構（スライドレール１ａ及び脚車１ｂ）と、用紙収容部５内に上下に昇降可能であって用紙を積載するための昇降板１０を備え、用紙Ｐを画像形成装置２に供給する給紙装置１において、給紙装置１は、用紙収容部５内に積載される用紙Ｐの位置規制を行うため、昇降板１０を貫通するとともに、用紙Ｐと当接される複数のガイド４ａ、４ｂを備えており、移動機構により給紙装置１が移動する方向に対して垂直な方向に用紙Ｐを位置規制するためのガイド４ａ、４ｂの用紙と当接する部分は、前記ガイドを前記給紙装置に備え付けた状態における水平方向の断面においてコ字状の部材である第１ガイド部材４２ａと第２ガイド部材４２ｂを互いに組み合わせた構造を有するようにすれば、ガイド４ａ、４ｂは、軽量でありつつ構造上高い強度を有するものとなる。そうすると、大量に積載された用紙の慣性による大きな力を受けても、その力に耐えることができ、ガイド４ａ、４ｂは変形することがないか、若しくは、変形したとしても変形量が極めて抑えられる。従ってガイド４ａ、４ｂの変形、折れ曲がりにより生ずるピックアップミスや紙詰まりがなくなる。更に、ガイド４ａ、４ｂの交換が不要となり、長寿命の給紙装置１を提供できる。
【００７７】
又、ガイド４ａ、４ｂを高強度とするだけならば、１枚のガイドの厚さを厚くすればよいとも考えられるが、そうすると、ガイド自体の製造コストが高くなってしまう。又、ガイド重量が増加するから給紙装置１に装着する作業の負担が大きくなる。しかし、請求項１記載の発明によれば、そのような不利益がない。
【００７８】
又、前記コ字状の部材をリベット４５にて組み合わされるようにすれば、接合作業が容易で、リベットも安価で容易に調達できるから、生産性が高く、強度のあるガイドを容易に入手することができる。又、組み合わせてもガイドの表面に突起がほとんどない状態とでき、ガイドの使用上、利便性が高い。
【００７９】
又、用紙収容部５は、底面板５３及び底面板５３に対して垂直に設けられた複数の側面板５２からなるものであって、上面が開口しており、底面板５３には複数のスリット５６ｂが、側面板５２の上縁には、複数の係合部５１が設けられており、前記ガイド４ａ、４ｂの下端には、スリット５６ｂに差し込むための差込部４３が、ガイド４ａ、４ｂの上端には、係合部５１と係合するために複数の穴部４４が設けられた係合用部材４１が固定されていて、ガイド４ａ、４ｂは、差込部４３をスリット５６ｂに差し込み、かつ、穴部４４を係合部５１と係合させることにより位置決めされるようにすれば、強度のあるガイド４ａ、４ｂは正確に位置決めされるから、積載される用紙Ｐの位置規制が確実になされる。又、各サイズの用紙Ｐに対応して容易にガイド４ａ、４ｂの位置決めの変更ができる。
【００８０】
次に本発明における第２の実施形態について、図１０に基づいて説明する。図１０のうち、（ａ）は、本発明の第２の実施形態に係るガイド４６を説明するための斜視図であり、（ｂ）は、本発明の第２の実施形態に係るガイド４６において用紙Ｐと当接する部分の断面図である。
【００８１】
第２の実施形態は、ガイド４６は、給紙装置１に備え付けた状態における水平方向の断面において積載された用紙と接する部分は、パイプ状の構造を有している点において第１の実施形態と最も大きな差異を有している。従って、その他の基本的な構成は、図１〜８を用いて説明した上記の第１の実施形態と同様であるから、上記と共通する構成については、図面の記載及び説明を省略する。即ち、断面構造の差異等以外の点については、図１〜８を用いて説明した第１の実施形態と同様にすればよい。
【００８２】
図１０（ａ）に示すように、ガイド４６は２つの部材からなっている。即ち、係合用部材４１とガイド用部材４６ａである。ガイド用部材４６ａは、積載される用紙Ｐと当接し、用紙搬送方向において用紙Ｐの後端の位置規制を行う。
【００８３】
そして、図１０（ｂ）に示すように、本実施形態では、給紙装置１に備え付けた状態における用紙Ｐと当接する部分の水平方向の断面、言い換えると、ガイド用部材４６ａの断面は、パイプ状の構造となっている。即ち、ガイド用部材４６ａは四角筒状となっている。このような断面構造を有するガイド４６は、ガイド４ａ、４ｂと同様に両側面４６ｂ、４６ｂによってその変位が規制される。従って、第１の実施形態同様に変形に対し強い構造を有するものである。尚、変形に対し強くするためにはその側面における４６ｂにおける奥行きＤを深くすればするほど、変形に対し強くなりうる。
【００８４】
外観的に見て、ガイド４６は、側面にリベット４５が設けられていない（図７参照）。これは、ガイド用部材４６ａが、２つの部材を組み合わせたものではないからである。尚、係合用部材４１とガイド用部材４６ａとの接合にはリベットを用いている。又、４２ａａ（図７参照）のように、ガイド４６の側面には突出した部分も設けられていない。これらの点が、ガイド４ａ、４ｂとの差異となっているが、これは断面構造の差異に起因するものである。
【００８５】
このように、用紙収容部５内に積載される用紙Ｐの位置規制を行うため、昇降板１０を貫通するとともに、用紙Ｐと当接されるガイド４６を１又は複数備えており、給紙装置１が移動する方向に対して垂直な方向に用紙を位置規制するためのガイド４６の用紙Ｐと当接する部分は、ガイド４６を給紙装置１に備え付けた状態における水平方向の断面においてパイプ状の構造を有するようにすれば、第１の実施形態と同様に、用紙Ｐの慣性による大きな力を受けても、その力に耐えることができる。従って、ガイド４６は、変形することがなく、又は、変形したとしても変形量を極めて抑えることができる。
【００８６】
又、ガイド４６を高強度とするだけならば、１枚のガイド４６の厚さを厚くすればよいとも考えられるが、そうすると、ガイド自体の製造コストが高くなってしまう。又、ガイド重量が増加するから給紙装置１に装着する作業の負担が大きくなる。第２の実施形態に示すガイド４６ならば、そのような不利益がない。
【００８７】
又、用紙収容部５は、底面板５３及び底面板５３に対して垂直に設けられた複数の側面板５２からなるものであって、上面が開口しており、底面板５３には複数のスリット５６ｂが、側面板５２の上縁には、複数の係合部５１が設けられており、前記ガイド４６の下端には、スリット５６ｂに差し込むための差込部４３が、ガイド４６の上端には、係合部５１と係合するために複数の穴部４４が設けられた係合用部材４１が固定されていて、ガイド４６は、差込部４３をスリット５６ｂに差し込み、かつ、穴部４４を係合部５１と係合させることにより位置決めされるようにすれば、強度のあるガイド４６は正確に位置決めされるから、積載される用紙Ｐの位置規制が確実になされる。又、各サイズの用紙Ｐに対応して容易にガイド４６の位置決めの変更ができる。
【００８８】
次に、図１１に基づき参考例について説明する。図１１（ａ）は、本発明の参考例に係るガイドを説明するための斜視図であり、図１１（ｂ）は、本発明の参考例に係るガイドにおいて用紙と当接する部分の断面図である。
【００８９】
図１１（ｂ）に示すように、この参考例に示すガイド４７は、給紙装置１に備え付けた状態において、積載された用紙Ｐと用紙と当接する部分、即ちガイド用部材４７ａの水平方向の断面がＺ字状の構造を有し、用紙Ｐのガイド用部材４７ａが１枚の板状部材からなっている点で異なる。しかし、その他の基本的な構成は、図１〜８を用いて説明した上記の第１の実施形態と同様であるから、上記と共通する構成については、図面の記載及び説明を省略する。
【００９０】
図１１（ａ）に示すように、本参考例に示すガイド４７は、断面においてＺ字状の構造を有するガイド用部材４７ａと、第１の実施形態でも示した係合用部材４１とが接合されたものである。
【００９１】
又、断面がＺ字状となっているから、ガイド４７は、その一側面４７ｂを積載された用紙Ｐの側面ＰＳに当接させるようにでき、用紙Ｐの後端が確実に位置規制できる。又、変形に対し一定の強さを有する構造を有するものである。
【００９２】
以上、本発明の実施形態につき説明したが、本発明の範囲はこれに限定されるものではなく、発明の主旨を逸脱しない範囲で種々の変更を加えて実施することができる。例えば移動機構としてスライドレール１ａ、脚車１ｂを示したが、移動機構として機能するものであれば他の構成でも構わない。又、給紙装置１を移動することで用紙収容部５も併せて移動する構成を実施形態で示したが、給紙装置のハウジング１ｄの一側面を開口できるようにし、用紙収納部５を引き出すようにして移動させるような給紙装置にも本発明は適用可能である。
【産業上の利用可能性】
【００９３】
本発明は、画像形成装置に対し用紙を供給する給紙装置に利用可能である。
【図面の簡単な説明】
【００９４】
【図１】本発明の第１の実施形態に係る給紙装置を画像形成装置に備え付けた場合の正面図である。
【図２】本発明の第１の実施形態に係る給紙装置を移動させて画像形成装置から離した状態の正面図である。
【図３】本発明の第１の実施形態に第１の実施形態に係る給紙装置１を左上面方向からみた斜視図である。
【図４】本発明の第１の実施形態に係る給紙装置の内部構造を説明するための左正面から見た斜視図である。
【図５】（ａ）は本発明の第１の実施形態に係る幅規制ガイドの斜視図である。（ｂ）は、本発明の第１の実施形態に係る幅規制ガイドの断面図である。
【図６】本発明の第１の実施形態に係るガイドの分解斜視図である。
【図７】（ａ）は、本発明の第１の実施形態に係るガイドの各部材の組み合わされた状態を示す斜視図である。（ｂ）が、本発明の第１の実施形態に係るガイドが組み合わされた状態を説明するための断面図である。
【図８】本発明の第１の実施形態に係るガイドに対し衝撃を加えた場合のシミュレーション結果を示す図である。
【図９】用紙をガイドする部分の断面がコ字状の１枚の板状部材からなるガイドに対し衝撃を加えた場合のシミュレーション結果である。
【図１０】（ａ）は、本発明の第２の実施形態に係るガイドを説明するための斜視図であり、（ｂ）は、本発明の第２の実施形態に係るガイドにおいて用紙と当接する部分の断面図である。
【図１１】（ａ）は、本発明の参考例に係るガイドを説明するための斜視図であり、（ｂ）は、本発明の参考例に係るガイドにおいて用紙と当接する部分の断面図である。
【符号の説明】
【００９５】
１          給紙装置
１ａ        スライドレール（移動機構）
１ｂ        脚車（移動機構）
２          画像形成装置
４ａ、４ｂ  ガイド
５          用紙収容部
１０        昇降板
４１        係合用部材４１
４２ａ      第１ガイド部材
４２ｂ      第２ガイド部材
４３        差込部
４４        穴部
５１        係合部
５２        側面板
５３        底面板
５６ｂ      スリット
【図１】
2008081217.tif 000003
【図２】
2008081217.tif 000004
【図３】
2008081217.tif 000005
【図４】
2008081217.tif 000006
【図５】
2008081217.tif 000007
【図６】
2008081217.tif 000008
【図７】
2008081217.tif 000009
【図１０】
2008081217.tif 000010
【図１１】
2008081217.tif 000011
【図８】
2008081217.tif 000012
【図９】
2008081217.tif 000013